【手続補正書】
【提出日】平成17年12月7日(2005.12.7)
【手続補正１】
【補正対象書類名】特許請求の範囲
【補正対象項目名】全文
【補正方法】変更
【補正の内容】
【特許請求の範囲】
【請求項１】
複数個の選択対象項目のそれぞれを表象する表象画像の複数個の表示データを記憶する格納部と、
表示画面上に表示される前記表象画像を含む画像に対するユーザの操作入力を受け付けて、対応する操作出力信号を出力する操作入力部と、
前記格納部の前記表示データを用いて、複数個の前記表象画像を、前記表示画面の一方向に沿って並べると共に、前記表象画像の１つを前記操作入力部を通じた操作入力により選択可能に表示する表示制御手段と
を備え、
前記表示制御手段は、前記複数個の表象画像のうちの選択中である注目表象画像の前記表示画面上の表示位置は固定として前記注目表象画像は強調表示し、かつ、前記操作入力部を通じた前記表象画像の選択操作に応じた前記操作出力信号に応じて、前記注目表象画像を変更すると共に、前記注目表象画像の表示位置の近傍には、当該注目表象画像の説明情報を表示する電子機器であって、
前記操作入力部は、前記複数個の表象画像を前記一方向にスクロールするユーザの操作入力を受け付けて、スクロール操作出力信号を出力し、
前記表示制御手段は、前記スクロール操作出力信号に応じて、前記注目表象画像を含んで前記表示画面上に前記一方向に沿って並べられた全ての前記表象画像の説明情報をも表示する状態で、かつ、前記注目表象画像を前記スクロールに伴って変更しながら前記スクロールを実行する
ことを特徴とする電子機器。
【請求項２】
請求項１に記載の電子機器において、
前記表示制御手段は、前記スクロール操作出力信号に応じて、前記注目表象画像位置が当該注目表象画像を含む前記複数個の表象画像の配列中において、どの位置に位置しているかを示すマークを具備するバー表示を、前記表示画面に併せて表示する
ことを特徴とする電子機器。
【請求項３】
請求項２に記載の電子機器において、
前記複数個の表象画像は、前記選択対象項目に関する属性に基づいて複数個のグループに分けられていると共に、前記複数個の表象画像の前記表示画面への表示順序は、グループ毎にまとめられており、前記バー表示は、前記複数のグループに応じて分割されていると共に、各分割された部分には、いずれのグループであるかを示すグループ表示を伴う
ことを特徴とする電子機器。
【請求項４】
請求項２または請求項３に記載の電子機器において、
前記スクロールの速度は、前記スクロール操作出力信号によりスクロール指示が開始されてからの時間に応じて速くなるように制御され、
前記バー表示は、前記スクロールの速度が予め定められた速度を越えたときから前記表示画面に表示されるようにされる
ことを特徴とする電子機器。
【請求項５】
請求項１に記載の電子機器において、
前記スクロール時における前記注目表象画像以外の前記表象画像についての前記説明表示は、前記注目表象画像についての前記説明表示よりも少ない説明項目数とされてなる
ことを特徴とする電子機器。
【請求項６】
請求項１に記載の電子機器において、
前記スクロール時においては、前記注目表象画像と共に、前記注目表象画像についての前記説明表示は強調表示される
ことを特徴とする電子機器。
【請求項７】
請求項３に記載の電子機器において、
前記表象画像は、コンテンツを表象するアイコンであり、前記グループ分けは、前記コンテンツの属性に応じてなされている
ことを特徴とする電子機器。
【請求項８】
請求項１に記載の電子機器において、
前記表示制御手段は、前記選択対象項目を表象する表象画像の複数個を前記表示画面に表示する際、前記表示画面に映出されている映像コンテンツの画像の画面に、半透明の状態で重ね合わせて表示する
ことを特徴とする電子機器。
【請求項９】
複数個の選択対象項目のそれぞれを表象する表象画像の複数個の表示データを記憶する格納部と、
表示画面上に表示される前記表象画像を含む画像に対するユーザの操作入力を受け付けて、対応する操作出力信号を出力する操作入力部と、
前記格納部の前記表示データを用いて、複数個の前記表象画像を、前記表示画面の一方向に沿って並べると共に、前記表象画像の１つを前記操作入力部を通じた操作入力により選択可能に表示する表示制御手段と
を備え、
前記表示制御手段は、前記複数個の表象画像のうちの選択中である注目表象画像の前記表示画面上の表示位置は固定として前記注目表象画像は強調表示し、かつ、前記操作入力部を通じた前記表象画像の選択操作に応じた前記操作出力信号に応じて、前記注目表象画像を変更すると共に、前記注目表象画像の表示位置の近傍には、当該注目表象画像の説明情報を表示する電子機器であって、
前記複数個の表象画像は、前記選択対象項目に関する属性に基づいて複数個のグループに分けられていると共に、前記複数個の表象画像の前記表示画面への表示順序は、グループ毎にまとめられており、
前記操作入力部は、前記複数個の表象画像を前記一方向にスクロールするユーザの操作入力を受け付けて、スクロール操作出力信号を出力し、
前記表示制御手段は、前記スクロール操作出力信号に応じて、
前記注目表象画像を前記スクロールに伴って変更しながら前記スクロールを実行すると共に、
前記注目表象画像位置が、当該注目表象画像を含む前記複数個の表象画像の配列中において、どの位置に位置しているかを示すマークを具備するバー表示であって、前記複数個のグループに応じて分割されていると共に、各分割された部分には、いずれのグループであるかを示すグループ表示を伴うバー表示を、前記表示画面に併せて表示する
ことを特徴とする電子機器。
【請求項１０】
複数個の選択対象項目のそれぞれを表象する表象画像の複数個の表示データを記憶する格納部と、
表示画面上に表示される前記表象画像を含む画像に対するユーザの操作入力を受け付けて、対応する操作出力信号を出力する操作入力部と、
前記格納部の前記表示データを用いて、複数個の前記表象画像を、前記表示画面の一方向に沿って並べると共に、前記表象画像の１つを前記操作入力部を通じた操作入力により選択可能に表示する表示制御手段と
を備え、
前記表示制御手段は、前記複数個の表象画像のうちの選択中である注目表象画像の前記表示画面上の表示位置は固定として前記注目表象画像は強調表示し、かつ、前記操作入力部を通じた前記表象画像の選択操作に応じた前記操作出力信号に応じて、前記注目表象画像を変更すると共に、前記注目表象画像の表示位置の近傍には、当該注目表象画像の説明情報を表示する電子機器における表示制御方法において、
前記操作入力部が、前記複数個の表象画像を前記一方向にスクロールするユーザの操作入力を受け付けて、スクロール操作出力信号を出力するステップと、
前記表示制御手段が、前記スクロール操作出力信号に応じて、前記注目表象画像の前方向および／または後方向の表象画像の説明情報をも前記表示画面に表示して、前記スクロールを実行するステップと
を備えることを特徴とする電子機器の表示制御方法。
【請求項１１】
請求項１０に記載の電子機器の表示制御方法において、
前記表示制御手段が、前記スクロールの速度が予め定められた速度になったときに、前記注目表象画像を含む前記複数個の表象画像の配列中において、前記注目表象画像位置がどの位置に位置しているかを示すマークを具備するバー表示を、前記表示画面に併せて表示する
ことを特徴とする電子機器の表示制御方法。
【請求項１２】
請求項１１に記載の電子機器の表示制御方法において、
前記複数個の表象画像は、前記選択対象項目に関する属性に基づいて複数のグループに分けられていると共に、前記複数個の表象画像は、グループ毎にまとめられて配列されており、前記バー表示のスクロール方向に対応する部位は、前記複数のグループに応じて分割されていると共に、かつ、各分割された部分がいずれのグループであるかを示すグループ表示を伴う
ことを特徴とする電子機器の表示制御方法。
【請求項１３】
複数個の選択対象項目のそれぞれを表象する表象画像の複数個の表示データを記憶する格納部と、
表示画面上に表示される前記表象画像を含む画像に対するユーザの操作入力を受け付けて、対応する操作出力信号を出力する操作入力部と、
前記格納部の前記表示データを用いて、複数個の前記表象画像を、前記表示画面の一方向に沿って並べると共に、前記表象画像の１つを前記操作入力部を通じた操作入力により選択可能に表示する表示制御手段と
を備え、
前記表示制御手段は、前記複数個の表象画像のうちの選択中である注目表象画像の前記表示画面上の表示位置は固定として前記注目表象画像は強調表示し、かつ、前記操作入力部を通じた前記表象画像の選択操作に応じた前記操作出力信号に応じて、前記注目表象画像を変更する電子機器における表示制御方法において、
前記複数個の表象画像は、前記選択対象項目に関する属性に基づいて複数のグループに分けられており、前記複数個の表象画像の前記表示画面への表示順序は、グループ毎にまとめられていると共に、
前記操作入力部が、前記複数個の表象画像を前記一方向にスクロールするユーザの操作入力を受け付けて、スクロール操作出力信号を出力するステップと、
前記表示制御手段が、前記スクロール操作出力信号に応じて、前記注目表象画像を前記スクロールに伴って変更しながら前記スクロールを実行すると共に、前記注目表象画像位置が当該注目表象画像を含む前記複数個の表象画像の配列中において、どの位置に位置しているかを示すマークを具備するバー表示であって、前記複数のグループに応じて分割されていると共に、各分割された部分には、いずれのグループであるかを示すグループ表示を伴うバー表示を、前記表示画面に併せて表示するステップと、
を備えることを特徴とする電子機器の表示制御方法。
【請求項１４】
選択対象項目を表象する表象画像の複数個が表示画面の一方向に沿って並べられて表示され、
前記複数個の表象画像のうちの選択中である注目表象画像の前記表示画面上の表示位置は固定とされると共に、前記注目表象画像は強調表示され、
かつ、操作入力部を通じた前記表象画像の選択操作に応じて、前記表象画像が変更されると共に、前記表象画像の表示位置の近傍には、当該選択対象項目の説明情報が表示され、
前記操作入力部を通じた前記表象画像についてのスクロール指示があったときに、前記注目表象画像以外の前記一方向に沿って並べられた他の前記表象画像の説明情報を表示する状態で前記スクロールが実行される
ことを特徴とするグラフィカル・ユーザ・インターフェース。
【請求項１５】
請求項１４に記載のグラフィカル・ユーザ・インターフェースにおいて、
前記スクロールの速度が予め定められた速度になったときに、前記複数の表象画像の配列中において、前記注目表象位置がどの位置に位置しているかを示すマークを具備するバー表示が、前記表示画面に併せて表示される
ことを特徴とするグラフィカル・ユーザ・インターフェース。
【請求項１６】
請求項１５に記載のグラフィカル・ユーザ・インターフェースにおいて、
前記複数個の表象画像は、前記選択対象項目に関する属性に基づいて複数のグループに分けられていると共に、前記複数個の表象項目の前記表示画面への表示順序は、グループ毎にまとめられており、前記バー表示は、前記複数のグループに応じて分割されていると共に、各分割された部分には、いずれのグループであるかを示すグループ表示を伴う
ことを特徴とするグラフィカル・ユーザ・インターフェース。
【請求項１７】
選択対象項目を表象する表象画像の複数個が表示画面の一方向に沿って並べられて表示され、
前記複数個の表象画像のうちの選択中である注目表象画像の前記表示画面上の表示位置は固定とされると共に、前記注目表象画像は強調表示され、
かつ、操作入力部を通じた前記表象画像の選択操作に応じて、前記注目表象画像が変更されると共に、前記注目表象画像の表示位置の近傍には、当該注目表象画像の説明情報が表示され、
前記複数個の表象画像は、前記選択対象項目に関する属性に基づいて複数個のグループに分けられており、前記複数個の表象画像の前記表示画面への表示順序は、グループ毎にまとめられていると共に、
前記操作入力部を通じた前記表象画像についてのスクロール指示があったときに、前記複数個の表象画像の配列中において、どの位置に位置しているかを示すマークを具備するバー表示であって、前記複数のグループに応じて分割されていると共に、各分割された部分には、いずれのグループであるかを示すグループ表示を伴うバー表示を伴って前記スクロールが実行される
ことを特徴とするグラフィカル・ユーザ・インターフェース。
【手続補正２】
【補正対象書類名】明細書
【補正対象項目名】０００３
【補正方法】変更
【補正の内容】
【０００３】
従来から、このような多種多様なメディアのコンテンツを再生可能とする、いわゆるマルチメディア再生装置も提案されている（例えば特許文献１（特開平１１−７３４１８号公報）参照）。
【手続補正３】
【補正対象書類名】明細書
【補正対象項目名】０００４
【補正方法】変更
【補正の内容】
【０００４】
また、大容量のハードディスク装置を用いて、大量の放送番組コンテンツを記録する装置も提供されている。
【特許文献１】特開平１１−７３４１８号公報
【手続補正４】
【補正対象書類名】明細書
【補正対象項目名】０００８
【補正方法】変更
【補正の内容】
【０００８】
上記の課題を解決するために、請求項１の発明による電子機器は、
複数個の選択対象項目のそれぞれを表象する表象画像の複数個の表示データを記憶する格納部と、
表示画面上に表示される前記表象画像を含む画像に対するユーザの操作入力を受け付けて、対応する操作出力信号を出力する操作入力部と、
前記格納部の前記表示データを用いて、複数個の前記表象画像を、前記表示画面の一方向に沿って並べると共に、前記表象画像の１つを前記操作入力部を通じた操作入力により選択可能に表示する表示制御手段と
を備え、
前記表示制御手段は、前記複数個の表象画像のうちの選択中である注目表象画像の前記表示画面上の表示位置は固定として前記注目表象画像は強調表示し、かつ、前記操作入力部を通じた前記表象画像の選択操作に応じた前記操作出力信号に応じて、前記注目表象画像を変更すると共に、前記注目表象画像の表示位置の近傍には、当該注目表象画像の説明情報を表示する電子機器であって、
前記操作入力部は、前記複数個の表象画像を前記一方向にスクロールするユーザの操作入力を受け付けて、スクロール操作出力信号を出力し、
前記表示制御手段は、前記スクロール操作出力信号に応じて、前記注目表象画像を含んで前記表示画面上に前記一方向に沿って並べられた全ての前記表象画像の説明情報をも表示する状態で、かつ、前記注目表象画像を前記スクロールに伴って変更しながら前記スクロールを実行する
ことを特徴とする。
【手続補正５】
【補正対象書類名】明細書
【補正対象項目名】００２７
【補正方法】変更
【補正の内容】
【００２７】
ＣＳ放送受信部１４は、ＣＳテレビジョン放送、ＣＳ音声放送およびデータ放送に対応して、ユーザの選局操作に対応して放送番組を選局受信してデコードし、画像信号（映像信号）および音声信号、ＥＰＧデータ等のデータを、インターフェース１８を通じてシステムバス２に出力する。
【手続補正６】
【補正対象書類名】明細書
【補正対象項目名】００３１
【補正方法】変更
【補正の内容】
【００３１】
システムバス２には、さらに、メモリカードドライブ２５と、時計部２６と、外部入力インターフェース２７と、通信インターフェース２８と、表示画像生成出力部３０と、表示用データ格納部２９と、ＥＰＧ保持部３１とが接続されている。
【手続補正７】
【補正対象書類名】明細書
【補正対象項目名】００３３
【補正方法】変更
【補正の内容】
【００３３】
放送受信部１１〜１４のそれぞれは、図示を省略したアンテナで受信された、前述したように、対象とする放送信号から、リモコン送信機２３を通じて入力されたユーザの選局操作に応じた放送番組を選択し、当該選択した放送番組の画像データおよび音声データ、あるいはデータ放送により受信したデータをシステムバス２に送出する。
【手続補正８】
【補正対象書類名】明細書
【補正対象項目名】００４２
【補正方法】変更
【補正の内容】
【００４２】
そして、表示画像生成出力部３０は、出力バッファに格納したデータと、オンスクリーンバッファに格納したオンスクリーンディスプレイデータとの合成データを、ディスプレイインターフェース２０を通じてモニターディスプレイ１９に供給するようにする。
【手続補正９】
【補正対象書類名】明細書
【補正対象項目名】００６５
【補正方法】変更
【補正の内容】
【００６５】
図３は、この実施形態において、モニターディスプレイ１９の画面１９Ｄに表示されるグラフィカル・ユーザ・インターフェース画面の初期メニュー画面の一例である。この実施形態においては、グラフィカル・ユーザ・インターフェース画面は、操作入力部を構成するリモコン送信機２３に設けられる「ホーム」ボタンを操作するごとに、画面１９Ｄに表示されたり、画面１９Ｄから消去されたりする。
【手続補正１０】
【補正対象書類名】明細書
【補正対象項目名】００８９
【補正方法】変更
【補正の内容】
【００８９】
以上のように、水平方向に複数個のカテゴリアイコン４１〜４７が一列に配列されているカテゴリアイコン配列１００の垂直方向の表示位置は固定されると共に、垂直方向に複数個の項目アイコンが一列に配列されている項目アイコン配列２００の水平方向の表示位置は固定されるので、カテゴリアイコン配列１００と項目アイコン配列２００との交差領域１００Ｃは、表示画面１９Ｄの中央よりも左斜め上方の位置に固定されるようにされる。
【手続補正１１】
【補正対象書類名】明細書
【補正対象項目名】０１０１
【補正方法】変更
【補正の内容】
【０１０１】
一方、選択されたカテゴリの下位階層の項目の選択操作は、項目アイコン配列２００を垂直方向に移動させて、注目領域２００Ｃに、希望項目に対応する項目アイコンを表示させるようにする操作となる。
【手続補正１２】
【補正対象書類名】明細書
【補正対象項目名】０１１７
【補正方法】変更
【補正の内容】
【０１１７】
また、放送メディアのカテゴリアイコンを選択中のグラフィカル・ユーザ・インターフェース画面においては、注目項目アイコンがチャンネル項目の項目アイコンであるときには、この注目領域２００Ｃの注目項目アイコンの右側には、この例では、２行分の説明情報の表示がなされる。
【手続補正１３】
【補正対象書類名】明細書
【補正対象項目名】０１２２
【補正方法】変更
【補正の内容】
【０１２２】
そして、この状態で「決定」ボタンが押されると、放送受信装置では、表示用データ格納部２９から対応するＥＰＧデータが読み出されて、ＥＰＧ表示データが生成され、グラフィカル・ユーザ・インターフェースを消して、生成された選択決定されたＥＰＧ画面をモニターディスプレイ１９の画面１９Ｄに表示するようにする。
【手続補正１４】
【補正対象書類名】明細書
【補正対象項目名】０２０７
【補正方法】変更
【補正の内容】
【０２０７】
そして、スクロール速度が、予め定められた所定のスクロール速度を超えると、画面９０は、図２１のようになり、注目サムネイル画像９１Ｃの左側のグループ名表示欄は消えて、その代わりに、サムネイル画像の並びに沿ったグループバー３００が表示される。このグループバー３００は、この例においては、指定されたジャンルによるグループ分割されており、各分割グループの領域３０１，３０２，３０３，３０４のそれぞれには、この例では、ユーザの指定に従ったジャンル名「映画」、「スポーツ」、「ドキュメント」、「その他」が表示される。